(57)【要約】【課題】外部からマスク着用者の顔の表情を見ることができ、マスク着用者の呼気が話し相手の方へ排気されないようにする透明マスクを提供すること。【解決手段】  病源菌の感染よび粉塵の吸入を防止しながらもマスクで覆われた着用者の顔面が見られるようにする透明マスクであり、着用者の鼻および口を覆う透明マスク本体１０と、このマスク本体１０の着用手段である固定バンド１２と、マスク本体１０の縁部に設けられると共に、着用者が吸入する空気を浄化するための空気浄化手段であるフィルター２０と、着用者の排出した空気をマスク本体１０の外部に排出するための排気手段である排気バルブ３０とを有している。
2006525823.tif 000002
【特許請求の範囲】
【請求項１】
着用者の鼻及び口を覆うマスク本体と；
前記マスク本体を着用者の顔面上に保持するための手段と；
前記マスク本体に設けられ、着用者が吸入する空気を浄化するためのフィルターと；を含み、
前記マスク本体は、着用者の顔面を見ることができるように透明の素材から成り、前記フィルターはマスク本体の縁部に設けられることを特徴とする透明マスク。
【請求項２】
前記フィルターは、前記マスク本体の縁部に沿って設けられていることを特徴とする請求項１に記載の透明マスク。
【請求項３】
前記フィルターは、着用者の顔面に密着するゴム製の気密部材を含むことを特徴とする請求項２に記載の透明マスク。
【請求項４】
前記フィルターは、弾性変形可能な折りたたみ部を含むことを特徴とする請求項２に記載の透明マスク。
【請求項５】
前記フィルターは、前記マスク本体の縁部の一部に設けられていることを特徴とする請求項１に記載の透明マスク。
【請求項６】
前記マスク本体の内面には曇り防止剤塗布層が設けられていることを特徴とする請求項１に記載の透明マスク。
【請求項７】
さらに、排気手段を含み、
前記排気手段は、前記マスク本体に形成されている排気孔と；
前記排気孔と連通するバルブ孔と；
前記マスク本体に着用されるバルブ本体と；
前記バルブ本体に固定され、前記着用者が空気を排出する場合は弾性変形して前記バルブ孔を開放し、着用者が空気を吸い込む場合は前記バルブ孔を閉塞する可撓性バルブフラップと；を含むことを特徴とする請求項１に記載の透明マスク。
【請求項８】
前記マスク本体は、非着用時においては平坦な形状を有し、着用時においては着用者の顔面形状に対応するように湾曲する透明平板状に構成され、前記フィルターは前記マスク本体の縁部に折畳可能に設けられていることを特徴とする請求項１に記載の透明マスク。
【請求項９】
前記マスク本体の内面には曇り防止剤塗布層が設けられていることを特徴とする請求項８に記載の透明マスク。
【発明の詳細な説明】
【技術分野】
【０００１】
本発明は透明マスクに関し、より詳しくは、呼吸器を通じた病源菌の感染または粉塵の吸入を防止するための透明マスクに関するものである。
【背景技術】
【０００２】
一般に、透明マスクは、ウイルスなどの病源菌を遮断し、呼吸器を通じて病原菌が体内に侵入することを防止する。また有害な粉塵が発生する作業場等においても使用され、粉塵が呼吸器を通じて体内に侵入することを防止する。
【０００３】
このような透明マスクとして、一般的なタイプと高機能なタイプの２種類が知られている。一般的なタイプは織物材や不織布材製であり、マスク本体とフィルター体の二重構造を有する。一方、高機能なタイプは、マスク本体をポリエチレン等の合成樹脂材製とし、このマスク本体が空気浄化手段と排気手段とを有している。
【発明の開示】
【発明が解決しようとする課題】
【０００４】
上記のような一般的なタイプはその製造コストが安価であるが、マスク本体とフィルター体の二重構造を有しているため空気の通りが悪く、空気の吸入や排出に抵抗感が感じられるという問題がある。また、マスクの内側に湿気がこもりやすいというい問題もある。
【０００５】
一方、高機能なタイプは空気浄化手段と排気手段とを有しているため、空気の吸入と排出は、それぞれの手段を介して行うことができる。従って、空気の通りがよく、空気の吸入や排出に抵抗感がない。また、マスクの内側に湿気がこもることも防止できる。
【０００６】
しかし、このような従来の透明マスクは、その着用時においてマスク本体が着用者の顔の鼻及び口を覆ってしまう。このため、着用者の顔の表情を伺うことができず、着用者の感情を伺うことが困難になる。着用者の感情を理解できないまま会話することになるため、話し相手は着用者に対し親近感ではなく警戒心を持つことになる。特に、親切に振舞うことが求められる公務員や病院関係者等にとっては、患者等に対して笑顔を見せることができず、不親切な印象を与えることになるという問題がある。
【０００７】
また、上記のような従来のマスクは、マスク着用者の呼気が話し相手の方へ放出される構造であるため、話し相手は不快感を持つという問題がある。空港や港などで伝染病の検疫を行う場合には、感染のおそれからマスク着用者との対話が敬遠されることになる。
【０００８】
上記問題点に鑑み、本発明の目的は、マスク着用者の顔の表情を話し相手から見ることができるようにする透明マスクを提供することにある。さらに本発明の他の目的は、マスク着用者の呼気が話し相手の方へ排気されないようにする透明マスクを提供することにある。
【課題を解決するための手段】
【０００９】
本発明に係る透明マスクは、着用者の鼻及び口を覆うマスク本体と；前記マスク本体を着用者の顔面上に保持するための手段と；前記マスク本体に設けられ、着用者が吸入する空気を浄化するためのフィルターと；を含み、前記マスク本体は、着用者の顔面を見ることができるように透明の素材から成り、前記フィルターはマスク本体の縁部に設けられることを特徴とする。
【００１０】
本発明に係る透明マスクは、前記フィルターが、前記マスク本体の縁部に沿って設けられていることが好ましい。
【００１１】
本発明に係る透明マスクは、前記フィルターが、着用者の顔面に密着するゴム製の気密部材を含むことが好ましい。
【００１２】
本発明に係る透明マスクは、前記フィルターが、弾性変形可能な折りたたみ部を含むことが好ましい。
【００１３】
本発明に係る透明マスクは、前記フィルターが、前記マスク本体の縁部の一部に設けられていることが好ましい。
【００１４】
本発明に係る透明マスクは、前記マスク本体の内面には曇り防止剤塗布層が設けられていることが好ましい。
【００１５】
本発明に係る透明マスクは、さらに、排気手段を含み、前記排気手段は、前記マスク本体に形成されている排気孔と；前記排気孔と連通するバルブ孔と；前記マスク本体に着用されるバルブ本体と；前記バルブ本体に固定され、前記着用者が空気を排出する場合は弾性変形して前記バルブ孔を開放し、着用者が空気を吸い込む場合は前記バルブ孔を閉塞する可撓性バルブフラップと；を含むことが好ましい。
【００１６】
本発明に係る透明マスクは、前記マスク本体が、非着用時においては平坦な形状を有し、着用時においては着用者の顔面形状に対応するように湾曲する透明平板状に構成され、前記フィルターは前記マスク本体の縁部に折畳可能に設けられていることが好ましい。
【００１７】
本発明に係る透明マスクは、前記マスク本体の内面には曇り防止剤塗布層が設けられていることが好ましい。
【発明を実施するための最良の形態】
【００１８】
以下、本発明の第１実施形態に係る透明マスクについて図面を参照しつつ詳細に説明する。
【００１９】
図１乃至図３に示すように、本実施形態の透明マスクはマスク本体１０を有し、このマスク本体１０は着用者の鼻及び口を覆うのに適した形状を有している。また、マスク本体１０は、ポリエチレン等の透明な合成樹脂製であり、着用時にマスク本体１０によって覆われる顔部分（鼻及び口の部分）が外部から見えるようになっている。また、着用時において着用者の鼻及び口の周囲に空間を形成するための形状を有している。
【００２０】
マスク本体１０の両端部には、着用手段である伸縮自在の固定バンド１２が取り付けられている。固定バンド１２は、着用者の顔からマスク本体１０が脱落しないように、着用者の耳または後頭部に係止される。そして、マスク本体１０の内面の曇りを防止するために、マスク本体１０の内面には曇り防止剤塗布層１４が設けられている（図２参照）。
【００２１】
一方、マスク本体１０には空気浄化手段が設けられている。この空気浄化手段は、本実施形態においてマスク本体１０の縁部に沿って設けられるフィルター２０である。この空気浄化手段は、マスク本体１０を着用した状態で呼吸する際、外部空気の吸入通路を確保すると共に、マスク本体１０内へ吸入される外気中の病源菌や微細な粉塵を除去する。
【００２２】
フィルター２０は、マスク本体１０の縁部に沿って接着手段である接着剤などにより貼り付けられている。フィルター２０の外側の表面には、弾性変形が可能なゴム材質の気密部材２２が接着剤などによって貼付されている。気密部材２２は、マスク本体１０の着用時において、着用者の顔面との密着性や装着感を改善する。気密部材２２により、着用者の顔面にマスク本体１０が密着することにより、マスク本体１０の内部空間と外部の空気とが遮断される。
【００２３】
そして、フィルター２０は複数回折りたたまれた折りたたみ部２０ａを形成している。この折りたたみ部２０ａは、フィルター２０の有効面積を拡大し、空気の吸入量を増大させ空気浄化効率を高めることができる。また、折りたたみ部２０ａによりフィルター２０自体に弾性力を持たせることができるため、前記気密部材２２と相俟って着用者の顔面の形状によりぴったりと適合し、マスク本体１０の気密性を高めることができる。
【００２４】
フィルター２０としてはＨＥＰＡフィルターを使用することが望ましい。このＨＥＰＡフィルターは、周知のように極微細繊維糸をペーパー状に加工したものであり、０．３μｍ以下の微粒子までも除去することができる高性能のフィルターである。
【００２５】
図２〜図４に示すように、マスク本体１０は、着用者から排出された空気を外部に放出するための排気手段を有する。この排気手段は、着用者から排出された空気を外部に放出するために、マスク本体１０に形成されている排気孔１０ａと、着用者が空気を吸い込む際に排気孔１０ａを閉鎖する排気バルブ３０とからなる。
【００２６】
この排気孔１０ａは着用者の口の下部と対向する位置においてマスク本体１０に形成されており、着用者から排出された空気が透明マスクからスムーズに排気されるようになっている。
【００２７】
排気バルブ３０は、マスク本体１０の外面に熱融着や接着剤等による固定手段によって固定されている。排気バルブ３０は、バルブ本体３２と、バルブ本体３２に形成されると共に排気孔１０ａと連通しているバルブ孔３２ａと、バルブ本体３２に設けられている可撓性バルブフラップ３４とを含んでいる。可撓性バルブフラップ３４は、着用者が空気を排出する場合にはバルブ孔３２ａを開放し、着用者が空気を吸い込む場合にはバルブ孔３２ａを閉塞する。可撓性バルブフラップ３４はバルブ本体３２の外側に設けられており、屈曲可能な弾性を有する薄板状の部材であり、それ自体が有している弾性力によってバルブ孔３２ａを塞いでいる。
【００２８】
着用者から空気が排出される際には、図４における一点鎖線によって示されているように、可撓性バルブフラップ３４が変形してバルブ孔３２ａを開放し、着用者から排出された空気をバルブ孔３２ａを通じてマスク本体１０の外へ排気する。一方、着用者が空気を吸い込む際には、図４に示す実線のように可撓性バルブフラップ３４が変形してバルブ孔３２ａを閉鎖し、外気がマスク本体１０の内部へ吸引されることを防止する。
【００２９】
排気手段を構成する排気孔１０ａと排気バルブ３０とは、マスク本体１０と同様に透明性のある材質から構成することが望ましい。これにより外部から着用者の顔の全てを見ることができる。
【００３０】
次に、本実施形態の作用効果について説明する。最初に、図１及び図２に示すように、マスク本体１０で鼻及び口を覆うように透明マスクを着用する。着用者が空気を吸い込むと、マスク本体１０の縁部に沿って設けられている高性能フィルター２０によって外部の空気に含まれた病源菌または微細粉塵が除去され、浄化された空気がマスク本体１０の内部へ吸引される。
【００３１】
次に、着用者から空気が排出されると、排気バルブ３０の可撓性バルブフラップ３４が図4に示す一点鎖線のように変形しバルブ孔３２ａが開放され、バルブ本体１０内の空気が外部へ排気される。
【００３２】
なお、着用者が空気を吸い込む際には、排気バルブ３０がバルブ孔３２ａを閉塞するため、排気バルブ３０を通じて外気がマスク本体１０内へ吸引されることが防止される。このように着用者の呼吸に応じて、フィルター２０により浄化された空気がマスク本体１０内へ吸引され、また、着用者の排出した空気は排気バルブ３０を通じて排気されるので、円滑な空気の吸入と排気を実現し、呼吸の容易性を確保することができる。
【００３３】
本実施形態の透明マスクは、マスク本体１０が透明な素材から成り、フィルター２０がマスク本体１０の縁部に沿って設けられており、また、排気バルブ３０がマスク本体１０の下方に設けられている。このため、図１に示すように、マスクを着用した状態において着用者の鼻及び口を見ることができるため、マスクの非装着状態と同様に着用者の表情を見ることができる。
【００３４】
マスク本体１０の内面に設けられている曇り防止剤塗布層１４により、マスク着用者が呼吸したり話をしたりした場合でも、マスク本体１０内面に曇りが生じない。このため、着用者の呼気の影響を受けず、常にマスク本体１０の透明性を維持することができる。
【００３５】
フィルター２０は、図３に示すように、折りたたみ部２０ａを形成しているため、フィルター２０の有効面積を拡大し、空気の吸入量を増大させ空気の浄化効率を高めることができる。また、折りたたみ部２０ａによってマスク本体１０と気密部材２２との間に弾力性を持たせることができるため、気密部材２２が着用者の顔の形状にぴったりと適合し、顔の皮膚に隙間なく密着することができる。また、着用者が会話したり笑ったりすることにより口や口の周囲を大きく動かした場合でも、折りたたみ部２０ａがこの動きに応じて変形してゆくため、気密部材２２と顔との間に望ましくない隙間が発生しない。
【００３６】
次に、図５を参照しつつ、本発明に係る第２実施形態の透明マスクを説明する。本実施形態の透明マスクは、空気浄化用のフィルター２０をマスク本体１０の中央縁部から下方縁部へ至る領域に設けたことを特徴とする。その他の構成は上記第１実施形態と同様である。
【００３７】
本実施形態の透明マスクによれば、フィルター２０をマスク本体１０の一部、即ち中央縁部から下方縁部へ至る領域に設けたため、上記第１実施形態の透明マスクよりもフィルター２０によって着用者の顔が視覚的に遮られる部分を小さくすることができる。
【００３８】
次に、図６および図７を参照しつつ、本発明に係る第３実施形態の透明マスクを説明する。本実施形態の透明マスクは、空気浄化用のフィルター２０をマスク本体１０の縁部以外の部分に設けたことを特徴とする。
【００３９】
図６に示す透明マスクには、マスク本体１０の縁部以外の部分に貫通孔１０ｂが形成されており、この貫通孔１０ｂにフィルター２０を取り付けたものである。この貫通孔１０ｂとフィルター２０は、マスク本体１０の両側縁部近傍に設けられている。また、この貫通孔１０ｂとフィルター２０は、図７に示すように、マスク本体１０の下側縁部近傍に設けることもできる。
【００４０】
第３実施形態の透明マスクは、マスク本体１０の縁部以外の部分にフィルター２０が取り付けられているため、フィルター２０の取り付けが容易である。また、上記第１実施形態のようにマスク本体１０の縁部に沿ってフィルター２０が取り付けられているのではなく、着用者の鼻及び口に近い位置にフィルター２０が配設されているため、着用者の呼吸に応じて空気の吸入と排出をスムーズに行うことができ、独立した排気手段を設ける必要がない。
【００４１】
最後に、図８乃至図１１を参照しつつ、本発明に係る第４実施形態の透明マスクを説明する。本実施形態の透明マスクは、携帯性を向上させるために、平坦状に折り畳むことができるように構成されている。
【００４２】
本実施形態の透明マスクは透明なマスク本体１０を有し、このマスク本体１０は薄板状であると共に、横方向に長い形状を備え、着用者の鼻及び口を覆う大きさを有している。マスク本体１０の内面には、曇り防止用の曇り防止剤が塗布されている。
【００４３】
本実施形態の透明マスクは、マスク本体１０の内面縁部に沿って空気浄化手段であるフィルター２０を備えている。フィルター２０は、極微細繊維糸等をペーパー状に加工したＨＥＰＡフィルターである。図１０及び図１１に示すように、フィルター２０の縁部はマスク本体１０に固定されており、携帯する場合にはマスク本体１０に対して折り畳むことができ、後述するように使用する場合には着用者の顔面方向に向かって自然に展開する。
【００４４】
図１０及び図１１に示すように、フィルター２０の上部および下部には、上側および下側にそれぞれ折り畳むことができる上側折畳羽根部２５と下側折畳羽根部２７が形成されている。上側折畳羽根部２５と下側折畳羽根部２７は上下対称となる形状を有し、透明マスクを着用した際には、特に着用者の鼻及び口の周囲の顔面に密着する。上側折畳羽根部２５と下側折畳羽根部２７にはそれぞれ気密部材２２が設けられている。気密部材２２は、上側および下側折畳羽部２５、２７と着用者の顔面との密着性を高め、着用者の顔面とフィルター２０との間の気密性を確保する。
【００４５】
図８に示すように、本実施形態の透明マスクは、伸縮自在な一対の固定バンド１２を有している。この固定バンド１２の両端部はフィルター２０の両端部に固定されており、この固定バンド１２を着用者の後頭部に係止することにより、マスク本体１０を着用者の鼻及び口の周辺へ保持することができる。
【００４６】
一対の固定バンド１２を用いて透明マスクを着用すると、マスク本体１０は、着用者の鼻及び口の周囲を覆うように着用者の顔面側方へ湾曲する。また、マスク本体１０に固定されているフィルター２０が自然に展開して着用者の鼻及び口の周囲に密着する。即ち、マスク本体１０が湾曲されると、上側折畳羽根部２５と下側折畳羽根部２７が着用者の顔面方向へ展開され、これによりフィルター２０が展開される。
【００４７】
この透明マスクを着用し、着用者が空気を吸入したり排出したりすると、外部の空気はフィルター２０を通じてマスク本体１０の内部に吸入され、あるいは外部へ排気される。
【００４８】
着用している透明マスクを外すと、湾曲していたマスク本体１０が平坦な状態に復帰し、展開していたフィルター２０はマスク本体１０側に自然に折り畳まれ、透明マスク全体が平坦になる。
【産業上の利用可能性】
【００４９】
以上説明したように、本発明に係る透明マスクは、マスク本体が透明な材質から構成され、空気浄化用のフィルターが鼻及び口を覆い隠さないような位置に配置されているため、外部からマスク着用者の表情を見ることができる。これにより、マスクを着用しても着用者の表情を伺うことができ、不快感ではなく親近感を持つことができる。特に、マスクを着用状態でも親切な印象を与えることができるため、親切に振舞うことが求められる公務員や病院関係者等にとっては非常に有用なマスクとなる。また、伝染病の検疫時にもマスク着用者の表情を見ることができるので、マスク着用者に対する恐怖感や不安感を低減させることができる。
【００５０】
以上、本発明の最も実用的且つ好適な実施形態について説明したが、本発明の技術的思想はこのような実施形態に限定されない。本発明の技術的思想に基づく多様な変形例や本発明と均等と考えられる実施例は、全て本願の特許請求の範囲に含まれる。
【図面の簡単な説明】
【００５１】
【図１】本発明に係る第１実施形態の透明マスクの正面図であり、着用者が着用した状態を示す。
【図２】図１に示す透明マスクの縦断面図及び部分拡大断面図であり、着用者が着用した状態が示されている。
【図３】図１に示す透明マスクの構成を示す分解斜視図である。
【図４】図１に示す透明マスクを構成する排気バルブの断面説明図であり、その排気状態が一点鎖線により示されている。
【図５】本発明に係る第２実施形態の透明マスクの正面図であり、着用者が着用した状態を示す。
【図６】本発明に係る第３実施形態の透明マスクの正面図であり、着用者が着用した状態を示す。
【図７】本発明に係る第３実施形態の他の透明マスクの正面図であり、着用者が着用した状態を示す。
【図８】本発明に係る第４実施形態の透明マスクの斜視図である。
【図９】図８に示す透明マスクの分解斜視図である。
【図１０】図８に示す透明マスクの断面説明図であり、上側折畳羽根部２５と下側折畳羽根部２７を展開した状態が一点鎖線により示されている。
【図１１】図８に示す透明マスクの着用状態を示す断面図である。
【符号の説明】
【００５２】
１０  マスク本体
１０ａ  排気孔
１０ｂ  貫通孔
１２  固定バンド
１４  曇り防止塗布層
２０  フィルター
２０ａ  折りたたみ部
２２  気密部材
２５  上側折畳羽根部
２７  下側折畳羽根部
３０  排気バルブ
３２  バルブ本体
３２ａ  バルブ孔
３４  可撓性バルブフラップ
【図１】
2006525823.tif 000003
【図２】
2006525823.tif 000004
【図３】
2006525823.tif 000005
【図４】
2006525823.tif 000006
【図５】
2006525823.tif 000007
【図６】
2006525823.tif 000008
【図７】
2006525823.tif 000009
【図８】
2006525823.tif 000010
【図９】
2006525823.tif 000011
【図１０】
2006525823.tif 000012
【図１１】
2006525823.tif 000013
【国際調査報告】
2006525823.tif 000014